(57)【要約】【課題】振動ノイズの発生を防止する上で有利なトランス装置を提供する。【解決手段】トランス装置８は、トランス１０と取り付け板２０とを含んで構成され、トランス１０は、コア１２と、巻線１４とを含んで構成されている。取り付け板２０は、コア１２が取着される第１の板部２２と、第１の板部２２の厚さ方向に変位した箇所に位置しトランス装置８を被取り付け箇所２に取り付けるための第２の板部２４とを有している。第１の板部２２に、第２の板部２４とは反対の方向に突出する複数の凸部２６が設けられ、凸部２６はプレス加工により第１の板部２２から筒状に突出形成されている。先端２６０２の筒状の内部と底面１２Ｂとが溶接されることで取り付け板２０にコア１２が取着されている。凸部２６を除いた第１の板部２２とコア１２の底面１２Ｂとの間に、凸部２６の高さＨに対応した寸法の隙間Ｓが確保されている。【選択図】図１
2008198760.tif 000002
【特許請求の範囲】
【請求項１】
コアの底面に取り付け板が取着されたトランス装置であって、
前記取り付け板は、前記底面が取着される第１の板部と、前記第１の板部の厚さ方向に変位した箇所に位置し前記トランスを被取り付け箇所に取り付けるための第２の板部とを有し、
前記第１の板部に、前記第２の板部とは反対の方向に突出する複数の凸部が設けられ、
前記各凸部の先端が前記底面に溶接により取り付けられることで前記取り付け板に前記コアが取着され、
前記凸部を除いた前記第１の板部と前記底面との間に、前記凸部の高さに対応した寸法の隙間が確保されている、
ことを特徴とするトランス装置。
【請求項２】
前記凸部は、プレス加工により前記第１の板部から筒状に突出形成され、
前記溶接による取り付けは、前記凸部の先端で筒状の部分の内側と、前記底面との間でなされている、
ことを特徴とする請求項１記載のトランス装置。
【請求項３】
前記隙間は、前記凸部を除いた前記第１の板部の全域と前記底面との間に確保されている、
ことを特徴とする請求項１記載のトランス装置。
【請求項４】
前記取り付け板は、前記第１の板部の両側にそれぞれ前記第１の板部に対して交差する方向に延在する脚片部を有し、
前記第２の板部は前記各脚片部の端部にそれぞれ接続され前記第１の板部に対して平行している、
ことを特徴とする請求項１記載のトランス装置。
【請求項５】
スピーカーのエンクロージャー内部のフレーム板に前記第２の板部が取着される、
ことを特徴とする請求項１記載のトランス装置。
【発明の詳細な説明】
【技術分野】
【０００１】
本発明はトランス装置に関する。
【背景技術】
【０００２】
トランス装置は、トランスと取り付け板とを含んで構成され、トランスは巻線が巻回されるコアを含み、取り付け板はコアの底面に取着されている（特許文献１、２、３参照）。
この取り付け板は、トランスを電子機器の筐体やフレームなどに取り付けるためのものであり、多くの場合、取り付け板は、その面をコアの底面に接した状態で溶接されることでコアに取着されている。
【特許文献１】特開昭６０−４５００３
【特許文献２】実開昭６１−１５３３２０
【特許文献３】実開昭６１−２０５１１７
【発明の開示】
【発明が解決しようとする課題】
【０００３】
ところで、このようなトランス装置がアンプ内蔵型スピーカーなどに組み込まれて用いられた場合、スピーカーから発生される音響の周波数によっては、取り付け板のうち、コアに溶接された箇所から離れた部分が前記音響に共振することがある。
これは、取り付け板の面をコアの底面に接しさせているものの、溶接以外の取り付け板の面の箇所とコアの底面との間に僅かな隙間が残存されるためである。
そして、このように取り付け板が共振すると、取り付け板の面がコアの底面に衝突して例えば１５０Ｈｚ〜２００Ｈｚ程度の周波数成分を有する振動ノイズ（ビリ音）が発生し、音響の品質を阻害するおそれがある。
本発明はこのような事情に鑑みなされたものであり、その目的は、振動ノイズの発生を防止する上で有利なトランス装置を提供することにある。
【課題を解決するための手段】
【０００４】
上述の目的を達成するため、本発明は、コアの底面に取り付け板が取着されたトランス装置であって、前記取り付け板は、前記底面が取着される第１の板部と、前記第１の板部の厚さ方向に変位した箇所に位置し前記トランスを被取り付け箇所に取り付けるための第２の板部とを有し、前記第１の板部に、前記第２の板部とは反対の方向に突出する複数の凸部が設けられ、前記各凸部の先端が前記底面に溶接により取り付けられることで前記取り付け板に前記コアが取着され、前記凸部を除いた前記第１の板部と前記底面との間に、前記凸部の高さに対応した寸法の隙間が確保されていることを特徴とする。
【発明の効果】
【０００５】
本発明によれば、凸部を除いた第１の板部とコアの底面との間に、凸部の高さに対応した寸法の隙間が確保されているので、音響によって第１の板部が共振したとしても、隙間が確保されているため、第１の板部がコアの底面に衝突して振動ノイズ（ビリ音）が発生することを確実に防止することができる。
【発明を実施するための最良の形態】
【０００６】
次に、本発明の実施の形態について図面を参照して説明する。
図１は本実施の形態のトランス装置８の正面図、図２は図１のＡ矢視図、図３はトランス装置８の取り付け説明図である。
図１、図２に示すように、トランス装置８は、トランス１０と取り付け板２０とを含んで構成されている。
【０００７】
トランス１０は、コア１２と、巻線１４とを含んで構成されている。
コア１２は飽和磁束密度や透磁率が大きい材料で構成されたものであり、このような材料としてはケイ素鋼板など従来公知のさまざまな材料が採用可能である。
本実施の形態では、コア１２はケイ素鋼板をＥＩ型に打ち抜いたＥＩコアで構成されており、外形は直方体状の輪郭で形成されている。また、本実施の形態のトランス装置８（コア１２）のサイズはＥＩ７６、出力は１５０Ｗである。
すなわち、コア１２は直方体状を呈し、上面１２Ａおよび底面１２Ｂと、前面１２Ｃおよび後面１２Ｄと、左右の側面１２Ｅ、１２Ｆとを備えている。
各側面１２Ｅ、１２Ｆは矩形状の開口の周囲に沿って延在する矩形枠状を呈している。
また、コア１２は、図示しない磁脚を有している。
【０００８】
巻線１４は１次巻線、２次巻線を含み、それら１次巻線、２次巻線がコア１２の前記磁脚に巻回されることでコイル１４Ａが構成されている。
コイル１４Ａは、各側面１２Ｅ、１２Ｆの開口からそれぞれ外方に突出している。
コイル１４Ａが一方の側面１２Ｅの開口から外方に突出した部分を覆うように端子保持部１６が設けられている。
端子保持部１６には複数の接続端子１８が設けられ、各接続端子１８は前記１次巻線、２次巻線に接続されている。
【０００９】
図２、図３に示すように、取り付け板２０はコア１２に取着され、本実施の形態では、取り付け板２０はコア１２の底面１２Ｂに取着されている。
取り付け板２０は金属製である。
図１、図２に示すように、取り付け板２０は、コア１２が取着される第１の板部２２と、第１の板部２２の厚さ方向に変位した箇所に位置しトランス装置８を被取り付け箇所２に取り付けるための第２の板部２４とを有している。
【００１０】
本実施の形態では、図１に示すように、取り付け板２０は、第１の板部２２の両側にそれぞれ第１の板部２２に対して交差する方向に延在する脚片部２８を有しており、第２の板部２４は各脚片部２８の端部にそれぞれ接続され第１の板部２２に対して平行している。
第２の板部２４は、第１の板部２２の一対の短辺にそれぞれ脚片部２８を介して接続され、図２に示すように、第２の板部２４の幅は、第１の板部２２の幅よりも大きな寸法で形成されている。
各第２の板部２４の両端には取り付け用のねじ挿通孔２４０２が形成されている。
【００１１】
本実施の形態では、第１の板部２２は、底面１２Ｂの輪郭よりも一回り大きい輪郭を有する長方形状を呈している。
図２、図３に示すように、第１の板部２２に、第２の板部２４とは反対の方向に突出する複数の凸部２６が設けられている。本実施の形態では、凸部２６はプレス加工（絞り加工や半抜きなどを含む）により第１の板部２２から筒状に突出形成され、凸部２６の先端に、凸部２６と同軸上に孔２６１０が形成されている。
凸部２６は４つ設けられ、各凸部２６は第１の板部２２の角部近傍に位置している。
コア１２の底面１２Ｂの４辺に第１の板部２２の４辺を平行させた状態で、各凸部２６の先端２６０２がコア１２の底面１２Ｂの４つの角部近傍の箇所に当て付けられ、先端２６０２の筒状の内部（孔２６１０の内周部）と底面１２Ｂとが溶接されることで取り付け板２０にコア１２が取着されている。すなわち、溶接による取り付けは、凸部２６の先端２６０２で筒状の部分の内側と、底面１２Ｂとの間でなされている。
そして、凸部２６を除いた第１の板部２２とコア１２の底面１２Ｂとの間に、凸部２６の高さＨに対応した寸法の隙間Ｓが確保されている。
より詳細には、凸部２６を除いた第１の板部２２の全域とコア１２の底面１２Ｂとの間に、凸部２６の高さＨに対応した寸法の隙間Ｓが確保されている。
なお、本実施の形態では、取り付け板２０の厚さｔは１．２ｍｍ、凸部２６の先端２６０２の直径Ｄ１が１０ｍｍ、凸部２６の基端の直径Ｄ２が１１ｍｍ、先端２６０２の筒状の内部の内径（孔２６１０の内径）Ｄ３が４ｍｍとなっている。
また、凸部２６の高さＨは、０．２ｍｍ〜０．３ｍｍあれば十分に所期の効果を達成することができる。
【００１２】
本実施の形態によれば、凸部２６を除いた第１の板部２２の全域と、コア１２の底面１２Ｂとの間に、凸部２６の高さに対応した寸法の隙間Ｓが確保されているので、音響によって第１の板部２２が共振したとしても、隙間Ｓが確保されているため、第１の板部２２がコア１２の底面１２Ｂに衝突して振動ノイズ（ビリ音）が発生することを確実に防止することができ、音響の品質を確保する上で有利となる。
【００１３】
以下、本実施の形態のトランス装置８を用いたアンプ内蔵型スピーカー５０（図８参照）について説明するが、それに先立って、このアンプ内蔵型スピーカー５０を用いたマルチチャンネル・オーディオ再生システムについて説明する。
【００１４】
マルチチャンネル・オーディオ再生システムは、デジタル信号処理回路の出力チャンネル毎に、順次、Ｄ／Ａ変換器、パワーアンプ、及びスピーカーを備え、忠実度が高く臨場感に優れた音響効果を奏するので、人気が高く、最近、広く利用されている。
ここで、図４から図７を参照して、マルチチャンネル・オーディオ再生システムを備えた、光ディスク・プレイヤの構成を説明する。
図４は光ディスク・プレイヤの構成を示すブロック図、図５は信号検出部と信号処理及び制御部の構成を示すブロック図、図６はＤ／Ａ変換及び増幅部と出力部の構成を示すブロック図、図７は出力部のスピーカー・システムを示す斜視図である。
光ディスク・プレイヤ１２０は、図４に示すように、光ディスクに記憶された音声信号及び映像信号を検出する信号検出部１２２と、信号処理及び制御部１２４と、Ｄ／Ａ変換及びアンプ部１２６と、出力部１２８とを備えている。
【００１５】
信号検出部１２２は、図５に示すように、光ディスク１３１を回転させるスピンドルモータ１３３と、光信号を検出する光学ピックアップ１３４と、光学ピックアップ１３４を光ディスク１３１の半径方向に移動させるスレッディングモータ１３５と、光検出信号のイコライジング処理を行うＲＦ・ＥＱアンプ１３６とを備えている。
光ディスク１３１には、圧縮されたデジタル映像信号及びそれに付随するデジタル音声信号が記録されている。光学ピックアップ１３４は、対物レンズによって収束したレーザービームを光ディスク１３１に照射し、光ディスク１３１上で反射発散したレーザービームを対物レンズ等の光学系を通過させて収束し、次いで収束したレーザービームを光検出器に入射させて、その光検出信号をＲＦ・ＥＱアンプ１３６に出力する。
ＲＦ・ＥＱアンプ１３６は、光検出信号のイコライジング処理を行う。
【００１６】
信号処理及び制御部１２４は、図５に示すように、信号処理系と制御系とから構成されている。
信号処理系は、ＲＦ・ＥＱアンプ１３６から出力された信号をＲＦ信号処理して２値のデジタル信号に変換するＲＦ信号処理ブロック１３９、ＲＦ信号処理ブロック１３６から出力されたデジタル信号をデコードする映像・音声信号デコードブロック１４２、及びデコードされた音声信号を処理するデジタル音声信号処理ブロック１４５、並びに記憶装置として映像・音声信号デコードブロック１４２に説明されたＤ−ＲＡＭ１４１を備えている。
制御系は、モータドライバ１３８を介してスピンドルモータ１３３の回転を制御すると共にスレッディングモータ１３５を制御して光学ピックアップ１３４のトラッキングサーボを行い、かつ光学ピックアップ１３４のフォーカスサーボを行うサーボブロック１４０、光ディスク・プレイヤ１２０のシステム全体を制御するシステムコントロール用マイクロコンピュータ１４３、及び操作ボタン１５４及び動作表示器１５５とマイクロコンピュータ１４３との間に介在するインターフェイス・マイクロコンピュータ１４４を備えている。
【００１７】
Ｄ／Ａ変換及びアンプ部１２６は、図６に示すように、音声信号系統として、デジタル信号をアナログ信号に変換する音声信号用Ｄ／Ａ変換ブロック１４６、音声信号減衰ブロック（ＶＯＬ）１５２、３系統の音声信号アンプブロック１４８、及びリレー回路１５３を備え、また、映像信号系統として、映像信号用Ｄ／Ａ変換ブロック１４７を備えている。
出力部１２８は、音声信号系統として、複数個のフルレンジスピーカー１４９と、低域専用スピーカー１５０とを、また、映像信号系統として、映像出力装置１５１を備えている。
光学ピックアップ１３４の光検出器から出力されたＲＦ信号は、ＲＦ・ＥＱアンプ１３６にてイコライジング処理を受けた後、ＲＦ信号処理ブロック１３９に供給されてデコード処理が行われ、２値のデジタル信号に変換される。
ＲＦ信号処理ブロック１３９から出力されたデジタル信号は、映像・音声デコードブロック１４２に入力される。
ＲＦ信号処理ブロック１３９からのデジタル信号が映像と音声を混在させて圧縮した信号である場合、映像・音声デコードブロック１４２でデコード処理され、伸長処理されたデジタル映像信号と、伸長処理されたデジタル音声信号、又は複数チャンネルの音声を圧縮したデジタル信号が出力される。
映像・音声信号デコードブロック１４２には、記憶手段としてＤ−ＲＡＭ１４１が接続されていて、データが映像・音声信号デコードブロック１４２とＤ−ＲＡＭ１４１との間で授受される。
【００１８】
映像・音声信号デコードブロック１４２から出力された伸長処理済のデジタル映像信号は、映像信号用Ｄ／Ａ変換ブロック１４２に供給されてＤ／Ａ変換され、得られたアナログ映像信号が、例えばテレビ受像機の映像出力装置１５１に供給されて、映像表示される。
一方、映像・音声信号デコードブロック１４２から出力されたデジタル音声信号は、デジタル音声信号処理ブロック１４５に送られる。
複数チャンネルの音声を圧縮したデジタル信号の場合は、このデジタル音声信号処理ブロック１４５で、さらに伸長処理が行われ、伸長処理された複数チャンネルのデジタル音声信号が音声信号用Ｄ／Ａ変換ブロック１４６に出力される。
また、このデジタル音声信号処理ブロック１４５では、伸長処理されたデジタル音声信号の入力に対し、フィルタリング処理、遅延処理等をデジタル的に演算し、処理効果を出力信号に付加することもできる。
【００１９】
音声信号用Ｄ／Ａ変換ブロック１４６では、デジタル音声信号は、Ｄ／Ａ変換され、複数チャンネルのアナログ音声信号として出力される。
このアナログ音声信号は、音声アンプ回路１４８にて増幅され、さらにチャンネル毎に設けられた複数のリレー回路１５３により切り替えられ、後段のチャンネル毎の複数のフルレンジスピーカー１４９や低域専用スピーカー１５０等を直接駆動できるようになっている。
また、音声信号減衰ブロック（ＶＯＬ）１５２は、音声信号用Ｄ／Ａ変換ブロック１４６から出力されたアナログ信号をレベル調節する。
これらのＲＦ信号処理ブロック１３９、映像・音声デコードブロック１４２、及び映像信号用Ｄ／Ａ変換ブロック１４７は、システムコントロール・マイクロコンピュータ１４３によってコントロールされている。
また、音声信号用Ｄ／Ａ変換ブロック１４６およびデジタル音声信号処理ブロック１４５は、インターフェース・マイクロコンピュータ１４４により制御されている。
【００２０】
図７を参照して、上述のフルレンジスピーカー１４９や低域専用スピーカー１５０等を備えたスピーカー・システム１６０を更に説明する。
例えば、５．１チャンネルの場合、すなわち、ＤＶＤのオーディオ規格の一つとして規定されているドルビー（登録商標）デジタル５．１チャンネル（ＤＴＳ５．１チャンネル）でマルチチャンネル・フォーマットのオーディオ信号を再生する場合には、スピーカー・システム１６０は、複数のフルレンジスピーカー１４９として、図７に示すように、５つのサテライトスピーカー１６２、１６４、１６６、１６８、１７０を備え、更に、低域専用スピーカー１５０としてサブウーファー・スピーカー１７２を備えている。
サテライトスピーカーの一つが低音再生専用チャンネルのスピーカー１５０（サブウーファー・スピーカー１７２）である。
ここで、ドルビーデジタルとは、米ドルビーラボラトリーズが開発したデジタル音声信号圧縮方式によるマルチトラックのサウンド方式を言い、５．１チャンネル・オーディオ再生システムは、ドルビーデジタルＡＣ−３の方式のオーディオ再生システムであって、５．１の「０．１」は、スーパー・ウーファー用のチャンネルを言う。
このスピーカー・システム１６０を使って５．１チャンネルのオーディオ信号を再生する際には、すべてのスピーカーから音声が出力される。
【００２１】
また、マルチチャンネル・オーディオ再生システムは、２チャンネル・オーディオ信号を再生することができる。
スピーカー・システム１６０を使って、ＣＤ等の２チャンネル・オーディオ信号の音声を再生する場合には、フロントの２チャンネルのスピーカー１６２、１６４と、場合によってはそれらに加えてサブウーファー・スピーカー１７２からのみ音声が出力される。
この場合、センタースピーカー１６６、及びリアスピーカー１６８、１７０からは何も音声が出力されない。例えば、５．１チャンネル（Ｌ、Ｒ、Ｃ、ＳＬ、ＳＲ、ＬＦＥ）・オーディオ再生システムを使って、２チャンネル・オーディオ信号を再生する場合、５．１チャンネルのうちの２チャンネル（Ｌ、Ｒ）系統からのみオーディオ信号が出力され、残りの３．１チャンネル（Ｃ、ＳＬ、ＳＲ、ＬＦＥ）は動作していない。
【００２２】
図８は本実施の形態のトランス装置８が組み込まれたアンプ内蔵型スピーカー５０の構成を示す斜視図である。
アンプ内蔵型スピーカー５０は前述したスピーカー・システム１６０のサブウーファー・スピーカー１７２として用いられるものである。
アンプ内蔵型スピーカー５０は、エンクロージャー５２と、スピーカーユニット５４と、基板５６と、トランス装置８などを含んで構成されている。
エンクロージャー５２は直方体状を呈している。
スピーカーユニット５４は、エンクロージャー５２内部でエンクロージャー５２の前壁に取着されている。本実施の形態では、スピーカーユニット５４は周波数が低域の音響を再生するもので構成されている。
基板５６は、エンクロージャー５２内部に組み込まれており、外部から供給されるオーディオ信号を増幅してスピーカーユニット５４に供給することでスピーカーユニット５４から音響を発生させるアンプ部と、前記アンプ部に電源を供給する電源部とを有している。
トランス装置８は、エンクロージャー５２内部に設けられたフレーム板５８（被取り付け箇所２）に取り付けられ、外部から供給されるＡＣ電源を変圧して前記電源部に供給する。
詳細には、トランス装置８の取り付け板２０のねじ挿通孔２４０２を挿通したねじがフレーム板５８に螺合することでトランス装置８が取り付け板２０を介してフレーム板５８に取着される。
【００２３】
このようなアンプ内蔵型スピーカー５０に、本発明のトランス装置８を適用することにより、トランス装置８から振動ノイズ（ビリ音）が発生することを確実に防止できるので、音響の品質に優れたアンプ内蔵型スピーカー５０を実現することができる。
特に、スピーカーユニット５４から低域の音響が発生する場合には、トランス装置８の取り付け板２０の第１の板部２２が前記音響によって共振しやすいことが懸念されるが、本発明のトランス装置８を用いることにより振動ノイズの発生を確実に防止することができ有利となる。
【００２４】
なお、本実施の形態では、第１の板部２２の両側に第２の板部２４が設けられた場合について説明したが、第２の板部２４を第１の板部２２の片側に設けたり、第２の板部２４の４辺にそれぞれ設けるなど任意であり、第２の板部２４の構成には従来公知のさまざまな構造が採用可能である。
また、本実施の形態では、トランス装置８をアンプ内蔵型スピーカー５０に適用した場合について説明したが、トランス装置８はアンプ内蔵型スピーカー５０に組み込まれるものに限定されるものではなく、さまざまなオーディオ機器や電子機器に適用可能であることは無論である。
【図面の簡単な説明】
【００２５】
【図１】本実施の形態のトランス装置８の正面図である。
【図２】図１のＡ矢視図である。
【図３】トランス装置８の取り付け説明図である。
【図４】光ディスク・プレイヤの構成を示すブロック図である。
【図５】信号検出部と信号処理及び制御部の構成を示すブロック図である。
【図６】Ｄ／Ａ変換及び増幅部と出力部の構成を示すブロック図である。
【図７】出力部のスピーカー・システムを示す斜視図である。
【図８】トランス装置８が組み込まれたアンプ内蔵型スピーカー５０の構成を示す斜視図である。
【符号の説明】
【００２６】
８……トランス装置、１０……トランス、１２……コア、１２Ｂ……底面、２０……取り付け板、２２……第１の板部、２４……第２の板部、２６……凸部、２６０２……先端、Ｓ……隙間。
【図１】
2008198760.tif 000003
【図２】
2008198760.tif 000004
【図３】
2008198760.tif 000005
【図４】
2008198760.tif 000006
【図５】
2008198760.tif 000007
【図６】
2008198760.tif 000008
【図７】
2008198760.tif 000009
【図８】
2008198760.tif 000010